(57)【特許請求の範囲】
【請求項１】
支持具本体(1) を取付杆(12)にスライド自在に取付けるべく、該取付杆(12)又は前記支持具本体(1) の何れか一方に長孔(9) を形成すると共に、何れか他方に挿通孔(13)を形成して該挿通孔(13)と前記長孔(9) に挿通した止具(14)により連結されてなる樋支持具に於いて、長孔(9) の内周面に複数の凹凸部(10)が対面形成されると共に、その凹部(11)の内周面が前記止具(14)の挿入側程拡径するテーパ状に形成され、且つ該内周面に嵌合するテーパ部(15)が前記止具(14)の外周面に形成され、更に前記挿通孔(13)の内周面には、対向する一対の切欠(13a) が形成される一方、前記止具(14)の下部には、前記一対の切欠(13a) に挿入可能な角棒状の抜止め(17)が設けられてなることを特徴とする樋支持具。
【請求項２】
前記挿通孔（１３）の内周面が止具（１４）のテーパ部（１５）に嵌合可能なテーパ状に形成されてなる請求項１記載の樋支持具。
【発明の詳細な説明】
【０００１】
【発明の属する技術分野】
本発明は樋支持具、さらに詳しくは建造物等の軒先樋を支持するための樋支持具であって、軒うら等に固定される取付杆に支持具本体がスライド自在に取付けられた樋支持具の改良に関する。
【０００２】
【従来の技術】
従来、この種樋支持具としては、例えば図４に示すようなものが存在する。
【０００３】
即ち、この従来のものは支持具本体１ａと取付杆１２ａとからなり、支持具本体１ａを取付杆１２ａにスライド自在に取付けるべく支持具本体１ａに長孔９ａを長手方向に形成し、この長孔９ａと取付杆１２ａの孔（図示せず）に挿通したボルト２１に蝶ナット２２を螺合締着して、支持具本体１ａを所望位置に固定し得るように構成したものである。
【０００４】
【発明が解決しようとする課題】
しかしながら、上記従来のものはボルト２１と蝶ナット２２との螺合締着を支持具本体１ａの固定手段とするものであるために、その固定作業が極めて煩雑であると共に、確実性に欠けるという大なる問題点を有してした。
【０００５】
また、上記樋支持具を長期間使用した場合、雨水等により前記ボルト２１や蝶ナット２２の各ネジ部に錆等の腐食が生じるという難点があり、再度支持具本体１ａを移動調整することは極めて困難であった。
【０００６】
それ故に、本発明は上記従来の問題点を解決するためになされたものであり、支持具本体を容易且つ確実に所望の位置に位置決め固定できるようにすることを課題とする。
【０００７】
【課題を解決するための手段】
即ち、上記課題を解決するために本発明が採った手段は、支持具本体１を取付杆12にスライド自在に取付けるべく、該取付杆12又は前記支持具本体１の何れか一方に長孔９を形成すると共に、何れか他方に挿通孔13を形成して該挿通孔13と前記長孔９に挿通した止具14により連結されてなる樋支持具に於いて、長孔９の内周面に複数の凹凸部10が対面形成されると共に、その凹部11の内周面が前記止具14の挿入側程拡径するテーパ状に形成され、且つ該内周面に嵌合するテーパ部15が前記止具14の外周面に形成され、更に前記挿通孔13の内周面には、対向する一対の切欠13a が形成される一方、前記止具14の下部には、前記一対の切欠13a に挿入可能な角棒状の抜止め17が設けられてなる点にある。
【０００８】
従って、上記構成を特徴とする樋支持具に於いては、支持具本体１をスライドさせる場合には、止具１４のテーパ部１５と支持具本体１又は取付杆１２の何れか一方に形成した長孔９の凹部１１の内周面との嵌合状態を解除させれば、支持具本体１を所望位置にスライドさせることができる。
【０００９】
そして、所望位置で止具14のテーパ部15を前記凹部11に嵌合せしめるように、止具14を挿通孔13に挿通する際に、その挿通孔13の内周面に形成した一対の切欠13a に、止具14の下部に設けた角棒状の抜止め17を挿入して、その止具14を約９０°回動すれば、その位置で支持具本体１を取付杆12に固定することができる。
【００１０】
【発明の実施の形態】
以下、本発明の一実施形態ついて図面に従って説明する。
【００１１】
図１に於いて、１は両側縁に上向きの折曲側片２，２を対面形成した支持具本体を示し、その一端には支持すべき樋３の凹状部３ａに係入可能な係入片４が上向きに形成されると共に、他端には樋３の耳部３ｂに嵌合可能な耳保持部５が略コの字状に折曲形成されてなり、該耳保持部５の先端には延設片６が斜め下方に設けられている。７は前記係入片４の内側部に対向して設けられた折曲片を示す。８は支持具本体１の他端側裏面に前記耳保持部５に対向して設けられたバネ板からなる弾性片であり、その先端は上向きに折曲されてなる。
【００１２】
９は図２（イ）  のように支持具本体１の中央に長手方向に沿って穿設された長孔で、その内周面には複数の凹凸部１０が対面形成されており、その凹部１１の内周面は同図（ロ）  の如く上部側程拡径するようにテーパ状に形成されてなる。
【００１３】
１２は図２（ハ）  の如く一端部に上部側程拡径する挿通孔１３が穿設された取付杆で、該挿通孔１３の上端の内径は前記支持具本体１に設けた凹部１１の下端の内径と一致し、且つ各テーパ角度も同一に設定されており、また挿通孔１３の内周面には対向する一対の切欠１３ａが取付杆１２の長手方向に沿って形成されている。
【００１４】
１４は支持具本体１の長孔９の凹部１１と取付杆１２の挿通孔１３に挿通された略棒状の止具で、その外周面は前記挿通孔１３及び前記凹部１１の内周面に嵌合するテーパ部１５、即ち下部側程縮径するテーパ面として構成され、且つその上面には円筒状の摘み１６が突設されると共に、下面には取付杆１２の切欠１３ａから挿入可能な角棒状の抜止め１７が略水平に設けられている。１８は取付杆１２の他端部にリベット止めされた板状の取付部材を示す。
【００１５】
本実施形態は以上のような構成からなるが、取付杆１２を支持具本体１に連結する場合は、支持具本体１の所定の凹部１１に取付杆１２の挿通孔１３を一致させた状態で重合せしめ、止具１４の摘み１６を把持しつつその抜止め１７を取付杆１２の切欠１３ａ及び支持具本体１の長孔９に挿通すると、該長孔９の凹部１１及び取付杆１２の挿通孔１３の内周面とが止具１４のテーパ部１５と嵌合し、該止具１４を約９０°回動すればよい。これにより、支持具本体１が取付杆１２の所望位置に位置決め固定されることになる。
【００１６】
而して、支持具本体１の凹部１１及び取付杆１２の挿通孔１３の内周面は夫々テーパ状に形成され、且つこれに止具１４のテーパ部１５を挿通するものであるため、即ち該テーパ部１５の小径の先端部を前記凹部１１及び挿通孔１３の大径側から挿通するものであるために、かかる挿通作業は極めて簡単に行える。しかも、支持具本体１の前記凹部１１と取付杆１２の挿通孔１３とが多少前後に位置ずれして一致していないような場合であっても、かかる位置ずれが止具１４の挿通により矯正されつつ、支持具本体１と取付杆１２とを連結することができる。これは、特に樋支持具を建造物の鼻隠しや軒うら等に取付けた後に、支持具本体１をスライド調整する場合に有用であり、高所での調整作業の便に供し得ることとなる。
【００１７】
また、上述したように止具１４のテーパ部１５が支持具本体１の凹部１１及び取付杆１２の挿通孔１３のテーパ状の内周面に夫々嵌合するため、この両者の連結が確実で且つ強固なものとなると共に、長期に亘りかかる良好な連結状態を維持することができるのである。
【００１８】
さらに、本実施形態に係る樋支持具は部品点数が少ない等、全体の構成が非常に簡易であり、その製作も安価に行えるという利点がある。
【００１９】
そして、かかる樋支持具は、例えば取付部材１８をネジ等により、建造物等な鼻隠しや軒うら等に所定間隔を有して複数個固定し、図１のようにその係入片４に樋３の凹状部３ａに係入した状態で、樋３の耳部３ｂを耳保持部５に嵌合せしめて使用されるのである。
【００２０】
尚、上記実施形態に於いては、長孔９の内周面に複数の凹凸部１０を形成すべく円孔を支持具本体１の長手方向に連設したような形状に形成したが、本発明は決してこれに限定されず、例えば図３（イ）  及び（ロ）  の如く角形状の孔を連設するようにして長孔９を構成してもよく、かかる長孔９の凹部１１の形状に応じて止具１４の外周面の断面形状も変更すればよい。
【００２１】
また、止具１４の外周面に図３（ハ）  のような突起１９を突設したり、該突起１９に嵌合する凹溝２０を支持具本体１の凹部１１や取付杆１２の挿通孔１３の内周面に設けてよく、これらの手段を採用することにより止具１４による支持具本体１及び取付杆１２の連結状態が一層確実なものとなる。尚、同図はその一例として、支持具本体１の凹部１１に凹溝２０を形成し、且つ止具１４の外周面に断面三角形状の突起１９を形成した場合を示す。
【００２２】
さらに、上記実施形態では、支持具本体１に長孔９を穿設したが、取付杆１２側に長孔９を穿設し、前記支持具本体１に上記実施形態の如き挿通孔１３を穿設して構成しても構わず、また挿通孔１３の内周面は必ずしもテーパ状に形成する必要はない。
【００２３】
さらに、本発明は上記実施形態のような所謂内吊り式の樋支持具に限定されるものではなく、樋３の下面を支持具本体１で支持する形式の樋支持具にも勿論適用可能である。
【００２４】
また、止具１４の挿通方向も下方側から挿通可能とすべく、支持具本体１又は取付杆１２に穿設する長孔９の凹部１１の内周面を下部側程拡径するように構成することも可能である。要は、止具１４の挿入側程拡径するように前記長孔９の凹部１１の内周面が形成されればよいのである。
【００２５】
その他、支持具本体１の形状等の各部の構成も、取付対象となる樋３の形状等に応じて変更可能である他、取付杆１２の具体的な形状等も本発明の意図する範囲内に於いて任意に設計変更自在である。
【００２６】
【発明の効果】
叙上の様に、本発明は止具の外周面に形成したテーパ部を支持具本体又は取付杆の凹部のテーパ状内周面に嵌合させてなるため、この両者の連結が確実且つ強固なものとなると共に、長期に亘りかかる良好な連結状態を維持できるという格別の効果を得たのである。
【００２７】
また、止具を長孔の凹部と挿通孔に挿通せしめる際に、その挿通孔の内周面に形成した一対の切欠に、止具の下部に設けた角棒状の抜止めを挿入して、その止具を約９０°回動すれば、支持具本体を取付杆に固定することができるため、ボルトと蝶ナットを使用する従来のものに比して、その作業が極めて簡易に且つ確実に行えるという利点があり、特に前記凹部の内周面が止具の挿入側程拡径するテーパ状に形成されているので、該凹部の内周面に嵌合させるべく先端部側程縮径される止具の挿入が容易に行えることになる。従って、前記凹部と挿通孔とが多少前後に位置ずれしているような場合であっても、かかる位置ずれが止具の挿通により矯正されつつ、支持具本体と取付杆とを連結することが可能となり、高所での一連の樋取付作業の便に寄与し得るという効果もある。
【００２８】
さらに、本発明に係る樋支持具は部品点数が少ない等、全体の構成が非常に簡易であり、その製作も容易に且つ安価に行えるという効果も奏する。
【図面の簡単な説明】
【図１】本発明に係る樋支持具を示す正面図。
【図２】（イ）  は要部拡大平面図、（ロ）  は図１のＡ−Ａ線断面図、（ハ）  は取付杆の要部拡大平面図。
【図３】他の実施形態を示し、（イ）  及び（ロ）  は長孔を示す要部拡大平面図、（ハ）  は要部拡大断面図。
【図４】従来例を示す樋支持具の正面図。
【符号の説明】
１…支持具本体
９…長孔
１０…凹凸部
１１…凹部
１２…取付杆
１３…挿通孔
１４…止具
１５…テーパ部
【図１】
0003618879.tif 000002
【図２】
0003618879.tif 000003
【図３】
0003618879.tif 000004
【図４】
0003618879.tif 000005